(57)【特許請求の範囲】
【請求項１】
ファクシミリ機能を有する画像形成装置において、
ファクシミリ送信すべき画像情報が形成された原稿の主走査方向と副走査方向のそれぞれの長さを任意の原稿サイズとして入力する原稿サイズ入力手段と、
該手段によって入力される原稿サイズを登録する手段と、
該手段によって登録された原稿サイズを選択する原稿サイズ選択手段と
を設けたことを特徴とする画像形成装置。
【請求項２】
請求項１記載の画像形成装置において、ファクシミリ送信すべき画像情報が形成された原稿の定形サイズを指定する定形サイズ指定手段を設けたことを特徴とする画像形成装置。
【請求項３】
請求項１記載の画像形成装置において、ファクシミリ送信すべき画像情報が形成された原稿のサイズを自動的に検知する原稿サイズ自動検知手段と、該手段の検知結果と前記原稿サイズ選択手段によって選択される原稿サイズのいずれを有効にするかを切り替える手段とを設けたことを特徴とする画像形成装置。
【発明の詳細な説明】
【０００１】
【産業上の利用分野】
この発明は、ファクシミリ装置やデジタル複写機等のファクシミリ機能を有する画像形成装置に関する。
【０００２】
【従来の技術】
ファクシミリ機能を有する画像形成装置は、原稿の画像情報をイメージスキャナによって読み取り、それを公衆回線を介して外部装置へファクシミリ送信したり、外部装置から公衆回線を介してファクシミリ受信した画像情報を用紙にプリントアウトしたりすることができる。
【０００３】
このような画像形成装置においては、原稿の画像情報を外部装置へファクシミリ送信する際に、その画像情報に欠落が生じたり余分な白情報が送信されないように、その原稿サイズ（原稿の主走査方向と副走査方向のそれぞれの長さ）を自動的に検知したり、オペレータによる操作部からの入力指定を待つようにしている。
【０００４】
そして、原稿サイズを自動的に検知するようにした画像形成装置では、その原稿を自動搬送する自動原稿給送装置を備えている場合、送信方向に対して主走査方向の長さ（幅）はサイドガイドの位置を検知するセンサによって検知し、副走査方向の長さは原稿の送り時間のカウントによって検知する。また、自動原稿給送装置を備えていない場合、例えば図１３に示すようにコンタクトガラスＣＧの下に複数のフォトセンサＳ１〜Ｓ４を配置して、その各センサのオン／オフ状態により原稿のサイズを検知するようにしている。
【０００５】
【発明が解決しようとする課題】
しかしながら、前者の画像形成装置においては、サイドガイドを検知するセンサは定形紙の区切りの位置（例えば主走査方向をＡ４，Ｂ４，Ａ３に区別するため基準点Ａからおおよそ２１５mmと２６０mmの位置）に配置しており、Ａ，Ｂ系列以外の不定形紙の正確なサイズは検知できないという不都合があった。
【０００６】
また、後者の画像形成装置においては、図１３に示したように定形サイズを判別するのに必要な特定の位置にのみセンサＳ１〜Ｓ４が配置されており、やはり不定形紙の正確なサイズは検知できないという不都合があった。
なお、両者ともセンサの数を増やせば原稿サイズの検知は精密になるが、コストとの関係上あるキーポイントになる位置にのみセンサを配置するのが一般である。
【０００７】
そして、そのように配置された少数のセンサだけの情報によって原稿サイズを判断すると、不定形サイズの原稿の画像情報をファクシミリ送信する場合、次のような不具合が生じる。
例えば、図１４にＰで示すようなサイズの原稿の画像情報をファクシミリ送信しようとした場合、各センサＳ１〜Ｓ４の検知状態は図示のようになり（on：原稿あり，off：原稿なし)、その原稿サイズは幅はＢ４，長さはＡ４と判断され、受信装置側では図１５に示すように主走査方向の画像が一部欠落し、副走査方向には余分な白画像が付加されてしまう。
【０００８】
この発明は上記の点に鑑みてなされたものであり、コストアップをせずに、ファクシミリ送信すべき画像情報が形成された原稿のサイズが不定形であっても、その原稿サイズに適した画像情報の送信ができるようにすることを目的とする。
【０００９】
【課題を解決するための手段】
この発明は上記の目的を達成するため、ファクシミリ機能を有する画像形成装置において、次のようにしたことを特徴とする。
請求項１の発明による画像形成装置は、ファクシミリ送信すべき画像情報が形成された原稿の主走査方向と副走査方向のそれぞれの長さを任意の原稿サイズとして入力する原稿サイズ入力手段と、該手段によって入力される原稿サイズを登録する手段と、該手段によって登録された原稿サイズを選択する原稿サイズ選択手段とを設けたものである。
【００１０】
請求項２の発明による画像形成装置は、請求項１の画像形成装置において、ファクシミリ送信すべき画像情報が形成された原稿の定形サイズを指定する定形サイズ指定手段を設けたものである。
【００１１】
請求項３の発明による画像形成装置は、請求項１の画像形成装置において、ファクシミリ送信すべき画像情報が形成された原稿のサイズを自動的に検知する原稿サイズ自動検知手段と、該手段の検知結果と原稿サイズ選択手段によって選択される原稿サイズのいずれを有効にするかを切り替える手段とを設けたものである。
【００１２】
【作用】
この発明の画像形成装置によれば、原稿サイズ入力手段によってファクシミリ送信すべき画像情報が形成された原稿の主走査方向と副走査方向のそれぞれの長さを任意の原稿サイズとして入力できるので、コストアップをせずに、ファクシミリ送信すべき画像情報が形成された原稿のサイズが不定形であってもその原稿サイズに適した画像情報の送信ができ、画像が欠落したり余分な白画像が付加されるようなことがなくなる。
【００１３】
また、原稿サイズ入力手段によって入力される原稿サイズを登録しておき、その登録された原稿サイズを原稿サイズ選択手段によって選択するようにすれば、ファクシミリ送信を行なう度に原稿サイズ入力手段による入力作業を行なわずに済む。
なお、ファクシミリ送信すべき画像情報が形成された原稿のサイズが定形サイズの場合に、そのサイズを定形サイズ指定手段によって指定するようにすれば、原稿サイズ入力手段による入力作業を省くことができる。
【００１４】
さらに、ファクシミリ送信すべき画像情報が形成された原稿のサイズを自動的に検知する原稿サイズ自動検知手段を設け、該手段の検知結果と原稿サイズ入力手段又は原稿サイズ選択手段によって手動で入力あるいは選択される原稿サイズのいずれを有効にするかを使用者が目的等に応じて自由に切り替えられるようにすれば、使い勝手がより向上する。
【００１５】
【実施例】
以下、この発明の実施例を図面に基づいて具体的に説明する。
図２はこの発明の実施例であるデジタル複写機の内部構成を示す図、図３はその光書込部の平面図である。
このデジタル複写機は、図２に示すように複写機本体Ａ，自動原稿給送装置Ｂ，ソータＣ，両面用反転ユニットＤの４つのユニットから構成されている。
【００１６】
〈複写機本体〉
そのうち、複写機本体Ａはスキャナ部，光書込部，感光体部，現像部並びに搬送部を備えている。
ここで、以上各部の構成及び動作などについて具体的に説明する。
【００１７】
スキャナ部
スキャナ部１５は、反射鏡１，光源３，第１ミラー２を装備して一定の速度で移動する第１スキャナと、第２ミラー４並びに第３ミラー５を装備して第１スキャナの１／２の速度でその第１スキャナに追従して移動する第２スキャナとを有している。
【００１８】
この第１スキャナ及び第２スキャナによりコンタクトガラス９上の図示しない原稿を光学的に走査し、その反射像を色フィルタ６を介してレンズ７に導き、一次元固体撮像素子８上で結像される。
光源３には蛍光灯やハロゲンランプなどが使用されており、波長が安定していて寿命が長いなどの理由から一般に蛍光灯が使用されている。
この実施例では１本の光源３に反射鏡１が取付けられているが、２本以上の光源を使用してもよい。
【００１９】
一次元固体撮像素子８は一定のサンプリングクロックをもっているため、光源３はそれより高い周波数で点灯しないと画像に悪影響を与える。
一次元固体撮像素子８としては、一般にＣＣＤが用いられる。一次元固体撮像素子８で読み取った画像信号はアナログ値であるので、Ａ／Ｄ変換され、画像処理基板１０の回路によって種々の画像処理（２値化，多値化，階調処理，変倍処理，編集など）が施され、スポットの集合としてデジタル信号に変えられる。
【００２０】
カラーの画像情報を得るためにこの実施例では、原稿から一次元固体撮像素子８に導かれる光路途中に、必要色の情報だけを透過する色フィルタ６が出し入れ可能に配置されている。原稿の走査に合わせて色フィルタ６の出し入れを行ない、その都度多重転写，両面コピーなどの機能を働かせることにより、多種多様のコピーが作成できるようになっている。
【００２１】
光書込部
画像処理後の画像情報は、光書込部１６によってレーザ光のラスタ走査にて光の点の集合の形で感光体ドラム４０上に書き込まれる。
レーザ光源としては、従来は一般にＨｅ−Ｎｅレーザが使用されていた。このＨｅ−Ｎｅレーザの波長は６３３ｎｍで、従来の複写機感光体の感度とよく合うために用いられてきたが、レーザ光源自体が非常に高価であることと、直接に変調ができないため装置が複雑になるなどの問題点を有している。
【００２２】
近年、感光体の長波長域での高感度化により、安価で直接に変調ができる半導体レーザが使用されるようになった。この実施例においてもこの半導体レーザを使用している。
この光書込部１６において、図３に示すように、筐体３１に取り付けられた半導体レーザ２０から発せられたレーザ光が、コリーメトレンズ２１で平行な光束に変えられ、アパーチャ３２により一定の形状の光束に整形される。
【００２３】
整形されたレーザ光は、第１シリンダレンズ２２により副走査方向に圧縮された形でポリゴンミラー２４に入射する。
このポリゴンミラー２４は正確な多角形をしており、ポリゴンモータ２５（図２参照）により一定方向に一定の速度で回転している。この回転速度は、感光体ドラム４０の回転速度と書き込み密度とポリゴンミラー２４の面数によって決定される。
【００２４】
ポリゴンミラー２４に入射されたレーザ光は、その反射光がミラー２４の回転によって偏向される。その偏向されたレーザ光はｆθレンズ２６ａ，２６ｂ，２６ｃに順次入射する。その各ｆθレンズは各速度一定の走査光を感光体ドラム４０で等速走査するように変換して、感光体ドラム４０上で最小光点となるように結像し、さらに面倒れ補正機構も有している。
【００２５】
ｆθレンズ２６ａ，２６ｂ，２６ｃを通過したレーザ光は、画像領域外で同期検知ミラー２９により同期検知センサ３０に導かれ、主走査方向の頭出し信号を出す同期信号が出てから一定時間後に画像データが１ライン分出力され、以下これを繰り返すことにより１つの画像を形成することになる。
【００２６】
感光体部
図２に示す感光体ドラム４０の周面には感光層が形成されている。半導体レーザ（波長７８０ｎｍ）に対して感度のある感光層としてＯＰＣ（有機感光体），α−Ｓｉ，Ｓｅ−Ｔｅなどが知られているが、この実施例ではＯＰＣを使用している。
一般にレーザ書き込みの場合、画像部に光を当てるネガ／ポジ（Ｎ／Ｐ）プロセスと、地肌部に光を当てるポジ／ポジ（Ｐ／Ｐ）プロセスの２通りがあり、この実施例では前者のネガ／ポジプロセスを採用している。
【００２７】
帯電チャージャ４１は感光体側にグリッドを有するスコロトロン方式のもので、感光体ドラム４０の表面を均一に（−）帯電し、画像部にレーザ光を照射してその部分の電位を落とす。それにより感光体ドラム４０表面の地肌部が−７５０〜−８００Ｖ，画像部が−５００Ｖ程度の電位となって、感光体ドラム４０の表面に静電潜像が形成される。
これを現像装置４２ａ及び４２ｂでそれぞれの現像ローラに−５００〜−６００Ｖのバイアス電圧を与え、（−）に帯電したトナーを付着して顕像化する。
【００２８】
現像部
このデジタル複写機本体Ａの現像部は、主現像装置４２ａと副現像装置４２ｂの２つの現像装置を備えている。そして、黒一色の場合は、副現像装置４２ｂとそのトナー補給装置４３ｂを取り外すようになっている。
【００２９】
現像装置を２つ有するこの実施例では、主現像装置４２ａとペアになるトナー補給装置４３ａに黒トナーを入れ、副現像装置４２ｂとペアになるトナー補給装置４３ｂにカラートナーを入れることにより、１色の現像中には他色の現像装置の主極位置を変えるなどして選択的に現像を行なう。
この現像を用い、スキャナの色フィルタ６の切り換えによる色情報の読み取り、さらに紙搬送系の多重転写、両面複写機能等を組み合わせることによって多機能なカラーコピー、カラー編集が可能となる。
【００３０】
３色以上の現像は、感光体ドラム４０の周囲に３つ以上の現像装置を並べる方法、３つ以上の現像装置を回転して切り換えるレボルバー方式などによって達成できる。
現像装置４２ａ及び４２ｂでそれぞれ顕像化された画像は、感光体ドラム４０の回転に同期して送られた用紙上に紙の裏面から転写チャージャ４４により（＋）のチャージがかけられて転写される。
【００３１】
画像が転写された用紙は、転写チャージャ４４と一体に保持されている分離チャージャ４５により交流除電されて、分離爪４６によって感光体ドラム４０から分離される。用紙に転写されずに感光体ドラム４０上に残ったトナーは、クリーニングブレード４７により感光体ドラム４０からかき落とされ、付属のタンク４８に回収される。さらに、感光体ドラム４０上に残っている電位のパターンは、除電ランプ４９からの照射光により消去される。
【００３２】
搬送部
デジタル複写機本体１にはそれぞれ異なるサイズの用紙を収納し得る給紙カセット６０ａ，６０ｂ，６０ｃが着脱自在に装着されている。
その各給紙カセット６０ａ，６０ｂ，６０ｃのいずれかが選択され、図示しないスタートボタンが押されると、選択された給紙カセットの近傍に配置されている給紙コロ６１（６１ａ，６１ｂ，６１ｃ）が回転を始めて上記給紙カセット内の最上位の用紙が給紙され、その先端がレジストローラ６２に突き当たる位置で停止する。
【００３３】
レジストローラ６２はこの時回転していないが、感光体ドラム４０に形成された画像の位置とタイミングをとって回転を開始し、感光体ドラム４０の周面に対して用紙を送る。
その用紙は、転写部でトナー像が転写された後、分離搬送部６３を介してヒートローラ６４と加圧ローラ６５の対からなる定着ローラによって転写されたトナー像が用紙上に熱定着される。
【００３４】
定着後の用紙は、通常のコピー時には切換爪６７によりソータＣ側の排紙口へ導かれ、また多重コピー時には切換爪６８により進路方向を変えられることなく下側の再給紙ループ７２を通過して再度画像転写部へ給送される。
両面コピーの場合には、複写機本体Ａのみで行なう場合と両面用反転ユニツトＤを使用する場合の２通りがあるが、ここでは前者の場合について説明する。
【００３５】
切換爪６７により下方に導かれた用紙はさらに切換爪６８により下方に導かれ、次の切換爪６９により再給紙ループ７２よりさらに下の両面トレイ７０へ導かれる。
その後、その用紙はローラ７１の逆回転によって搬送方向が反転し、切換爪６９の切り換えによって再給紙ループ７２へ導かれて、再び画像転写部へ給送される。
【００３６】
〈自動原稿給送装置〉
自動原稿給送装置Ｂは、原稿を１枚ずつコンタクトガラス９上へ導き、コピー後に排出する動作を自動的に行なうものである。
原稿給紙台１００に載置された原稿の積層体は、サイドガイド１０１によって原稿の幅方向が揃えられる。その原稿は、給送コロ１０４により１枚ずつ分離して給送され、搬送ベルト１０２の回動でコンタクトガラス９上の所定位置まで運ばれて、位置決めされる。
【００３７】
所定枚数のコピーが終了すると、原稿は再度搬送ベルト１０２の回動により搬送されて排紙トレイ１０３上へ排紙される。
なお、サイドガイド１０１の位置と原稿の送り時間をカウントすることにより、原稿サイズの検知を行なうことができる。
【００３８】
〈ソータ〉
ソータＣは、複写機本体Ａから排紙されたコピー紙を、例えばページ順，ページ毎，あるいは予め設定されたビン１１１ａ〜１１１ｘに選択的に排紙する装置であり、モータ１１０によって回転駆動する複数のローラにより送られてくるコピー紙を、各ビン１１１の入口付近に配置している爪の切り換えにより、選択されたビン１１１へ排紙する。
【００３９】
〈両面反転ユニット〉
複写機本体Ａは１枚毎の両面コピーしかできないが、この両面用反転ユニットＤを付設することにより、まとめて両面コピーをすることが可能である。
複数枚まとめて両面コピーをとる時、排紙コロ６６で下方に導かれた用紙は、次の切換爪６８によって両面用反転ユニットＤへ送られる。
【００４０】
この両面用反転ユニットＤに入った用紙は、排紙ローラ１２０によって搬送されてトレイ１２３上に集積される。その際、送りローラ１２１及び側面揃えガイド１２２により用紙の縦，横が揃えられる。
トレイ１２３上に集積された用紙は、裏面コピー時に再給紙コロ１２４により再給紙され、この時切換爪６９によって直接再給紙ループ７２へ導かれる。
なお、図２及び図３において、２３は防音ガラス，２７はミラー，２８は防塵ガラス，７３はメインモータ，７４はファンモータである。
【００４１】
〈制  御  部〉
次に、このデジタル複写機の制御部について、図４乃至図７を参照して具体的に説明する。
図４及び図５は、このデジタル複写機全体の制御部の概略構成を示すブロック図であり、図示の都合上２つの図に分割して示している。
【００４２】
複写機本体Ａの制御ユニットは２個のＣＰＵ１３０及び１３１を備えており、それぞれシーケンス関係及びオペレーション関係の制御を分担して行なっている。この各ＣＰＵ１３０及び１３１は、互いにシリアルインタフェース（ＲＳ−２３２Ｃ）によって接続されている。
まず、シーケンス制御について説明する。
【００４３】
シーケンス制御用のＣＰＵ１３０には、メインのＣＰＵ１３１の他に、紙サイズセンサ，排紙検知やレジスト検知等のその他のセンサ，ディップスイッチ等のセンサ・スイッチ類と、高圧電源ユニットと、リレー，ソレノイド，モータ等の各ドライバと、レーザビームスキャナユニット（光書込部）１６と、画像制御回路１３２と、ソータユニット（ソータ）Ｃ及び両面ユニット（両面反転ユニツト）Ｄの各外部ユニット等が、それぞれＩ／Ｏやタイマカウンタ等を介して接続されている。
【００４４】
センサ関係では、図２に示した給紙カセット６０ａ，６０ｂ，６０ｃにそれぞれ収納されている用紙のサイズ及び向きを検知して、その結果に応じた電気信号を出力する紙サイズセンサ，レジスト検知や排紙検知等の用紙搬送に関するセンサ，オイルエンドやトナーエンド等サプライの有無を検知するセンサ，並びにドアオープンやヒューズ切れなど機械の異常を検知するセンサなどがあり、それらから出力される電圧信号がＩ／Ｏ等を介してＣＰＵ１３０に入力される。
【００４５】
高圧電源ユニットは、図２に示した帯電チャージャ４１，転写チャージャ４４，分離チャージャ４５の各チャージャや現像バイアス電極にそれぞれ所定の高圧電力を印加する。
ドライバ関係は、給紙クラッチ，レジストクラッチ，カウンタ，メインモータ７３（図２参照）等のモータ，トナー補給ソレノイド，パワーリレー，定着ヒータなどがある。
【００４６】
両面ユニットＤでは、用紙の幅を揃えるためのモータ，給紙クラッチ，搬送経路を変更するためのサイドフェンスのホームポジョンセンサ，用紙の搬送に関するセンサなどがある。
ソータユニットＣは複写機本体Ａとシリアルインタフェースで接続されており、シーケンスからの信号により所定のタイミングで用紙を搬送して、各ビンに排出させている。
【００４７】
シーケンス制御用のＣＰＵ１３０は、アナログ入力として定着部の近傍に設置されているサーミスタからの入力，レーザダイオードのモニタ入力，レーザダイオードの基準電圧信号等を入力し、例えば上記サーミスタからの入力によって、上記定着部の温度が一定になるようにオン／オフ制御を行なう。
レーザダイオードの発光パワーを一定にするための調整機構として、Ａ／ＤコンバータとＣＰＵのアナログ入力が使用されている。これは予め設定された基準電圧（この電圧はレーザダイオードが３ｍＷとなるように設定する）に、レーザダイオードが点灯した時のモニタ電圧が一致するように制御されている。
【００４８】
また、シーケンス制御用のＣＰＵ１３０は、スキャナ部１５から送られてくる後述するトナー消費量算出データに基づいて、トナー補給ソレノイド８４のオン／オフ制御を司る。
画像制御回路１３２では、マスキング，トリミング，イレースなどのタイミング信号を発生したり、レーザダイオードのＯＮ信号をカウントし、レーザダイオードにビデオ信号（ＶＤＡＴＡ０〜３）を与えている。
【００４９】
ゲートアレー１３４は、スキャナ部１５から送られてくる２値データＤＡＴＡ１，２及び１６値（多値）データＤＡＴＡ１０〜１３，ＤＡＴＡ２０〜２３の各画像データを、レーザビームスキャナユニット１６からの同期信号ＰＭＳＹＮＣに同期させ、さらに画像書き出し信号ＦＧＡＴＥに同期した４ビット・シリアルの信号（ＯＤＡＴＡ０〜３）に変換して画像制御回路１３２に出力する。
【００５０】
なお、２値データＤＡＴＡ１，ＤＡＴＡ２はそれぞれ奇数番目及び偶数番目の各画素（ドット）に対応した１ビットずつのデータであり、その各データをまとめて２ビツトのパラレルデータとしている。
また、１６値データＤＡＴＡ１０〜１３，ＤＡＴＡ２０〜２３も同様にそれぞれ奇数番目及び偶数番目の各画素に対応した４ビットずつのデータであり、その各データをまとめて８ビットのパラレルデータとしている。
【００５１】
次に、オペレーション関係の制御について説明する。
メインのＣＰＵ１３１は、複数のシリアルポートとカレンダＩＣ１３５を制御する。複数のシリアルポートにはシーケンス制御用のＣＰＵ１３０の他に、操作部ユニット１３６，スキャナ部１５，ファックス送受信部（ＦＡＸ）１３７，インタフェースユニット１３８，ＣＧカード１３９，エディタ１４０などが接続されている。
【００５２】
操作部ユニット１３６には、操作者による入力用キー及び複写機の状態を表示する表示器等を有し、キー入力情報をメインのＣＰＵ１３１へシリアル送信し、そのＣＰＵ１３１からのシリアル受信により表示器を点灯する。
スキャナ部１５は画像処理及び画像読み取りに関する情報をシリアル送信し、ファックス送受信部１３７及びインタフェースユニット１３８とは、予め設定されている情報内容をＣＰＵ１３１とやりとりする。
【００５３】
カレンダＩＣ１３５は日付及び時間を記憶しており、この情報に基づいて装置のオン／オフ制御を行なうことも可能である。
ＣＧ（キャラクタゼネレータ）カード（フォントカード）１３９は、コードデータファイルに対応するフォントデータを外部から供給する場合に使用する着脱可能なメモリカードである。フォントデータとしては、アウトラインフォントあるいはビットマップフォントがある。
【００５４】
エディタ１４０は編集機能を入力するユニットであり、操作者によって入力された画像編集データ（マスキング，トリミング，イメージシフト等）をメインのＣＰＵ１３１へシリアル送信する。
【００５５】
図６は、図４のスキャナ部１５の制御回路の構成を示すブロック図である。
一次元固体撮像素子であるＣＣＤイメージセンサ８から出力される原稿１５０の画像に応じたアナログ画像信号は信号処理回路１５１で増幅され、Ａ／Ｄ変換器１５２によってデジタル多値信号に変換される。この信号はシェーディング補正回路１５３によって補正処理を受け、信号分離回路１５４に入力される。
【００５６】
信号分離回路１５４は入力する画像情報を処理し、文字などの２値画像成分信号と中間調画像成分信号とに分離して、それぞれ２値化処理回路１５６及び多値化処理回路１５５に入力させる。
２値化処理回路１５６は、入力する２値画像成分信号を予め設定された固定しきい値によって２値データに変換する。
【００５７】
多値化処理回路１５５は、走査位置毎に予め設定されたしきい値によって入力データを判定し、中間調情報を含む１６値データに変換する。
スキャン制御回路１６０は、図４に示したＣＰＵ１３１からの指示に従ってランプ制御回路１５８，タイミング制御回路１５９，電気変倍回路１６１，並びにスキャナ駆動モータ１６５をそれぞれ制御する。
【００５８】
ランプ制御回路１５８は、スキャン制御回路１６０からの指示に従って光源である露光ランプ３のオン／オフ制御及び光量制御を司る。
スキャナ駆動モータ１６５の駆動軸にはロータリエンコーダ１６６が連結されており、位置センサ１６２は副走査駆動機構の基準位置を検知する。
電気変倍回路１６１は、メイン制御回路１６０によって設定される主走査側の倍率データに従って、多値化処理された画像データと２値化処理された画像データについて電気変倍処理を行なう。
【００５９】
多値データ変換回路１６７は、電気変倍回路１６１からの２値データを多値データに変換する。
例えば、入力する２値データが“０”，“１”ならば、その各データをそれぞれ４ビットずつのパラレルデータ“００００”及び“１１１１”に変換する。
トナー消費量算出回路２００は、電気変倍回路１６１及び多値データ変換回路１６７から送られてくる１ページごとの画像領域内の多値データを取り込んで、その多値データによって消費されるトナー量を算出し、その算出結果をトナー消費量のデータとしてＣＰＵ１３０に入力させる。
【００６０】
タイミング制御回路１５９は、スキャン制御回路１６０からの指示に従って各信号を出力する。すなわち、読み取りを開始すると、ＣＣＤイメージセンサ８に対しては１ライン分のデータをシフトレジスタに転送する転送信号と、シフトレジスタのデータを１ビットずつ出力するシフトクロックパルスとを与える。
また、像再生系ユニットすなわち図４に示したファックス送受信部１３７，インタフェースユニット１３８及びゲートアレー１３４に対して、画素同期クロックパルスＣＬＫ，主走査同期パルスＬＳＹＮＣ，主走査有効期間信号ＬＧＡＴＥ，及び副走査有効期間信号ＦＧＡＴＥを出力する。
【００６１】
なお、画素同期クロックパルスＣＬＫは、ＣＣＤイメージセンサ８に与えるシフトクロックパルスと略同一の信号である。
主走査同期パルスＬＳＹＮＣは、図２に示した光書込部１６のビームセンサが出力する主走査同期信号ＰＭＳＹＮＣと略同一の信号であるが、画像の読み取りを行なっていない時には出力が禁止される。
【００６２】
主走査有効期間信号ＬＧＡＴＥは、出力データＤＡＴＡ１，ＤＡＴＡ２，ＤＡＴＡ１０〜１３，ＤＡＴＡ２０〜２３が有効なデータであるとみなされるタイミングでハイレベルになる。
なお、この例ではＣＣＤイメージセンサ８は、１ライン当たり４８００ビットの有効データを出力する。
【００６３】
スキャン制御回路１６０は、ＣＰＵ１３１から読み取り開始指示を受けると、ランプ制御回路１５８を介して露光ランプ３を点灯させ、スキャナ駆動モータ１６５を駆動開始し、タイミング制御回路１５９を制御して、ＣＣＤイメージセンサ８による読み取りを開始する。また、副走査有効期間信号ＦＧＡＴＥをハイレベルにセットする。
【００６４】
この副走査有効期間信号ＦＧＡＴＥは、ハイレベルにセットされてから副走査方向に最大読み取り長さ（例えばＡサイズ長手方向の寸法）を走査するのに要する時間を経過するとローレベルになる。
【００６５】
図７は、図４のファックス送受信部１３７の構成例を示すブロック図である。このファックス送受信部１３７はＧ３ファクシミリ機能を有しており、ＣＰＵ２０１，ＲＯＭ２０２，ＲＡＭ２０３，デュアルポートＲＡＭ２０４，データ圧縮再生回路（ＤＣＲ）２０５，変倍回路２０６，モデム２０７，網制御回路（ＮＣＵ）２０８，スピーカ２０９，音声回路２１０と、ＲＯＭ２１１，ＲＡＭ２１２，ＳＡＦメモリ２１３とによって構成されている。
【００６６】
このファックス送受信部１３７はメモリ送受信が基本となっているため、送信時には図４のスキャナ部１５等から送られてくる画像情報を一旦ＳＡＦメモリ２１３に蓄積してから送信する。また、受信時にはその画像情報をＳＡＦメモリ２１３に一旦蓄積してからＣＰＵ１３１へ送出し、前述したプリンタ機能によってプリントアウトしたりする。
【００６７】
図８は図４の操作部ユニット１３６の構成例を示すレイアウト図である。
この操作部ユニット１３６は、スタートキー２２１を含むハードキー群２２２からなる操作部２２０と、ハードキー群２３１と液晶タッチパネル２３２からなるアプリケーション専用の操作部２３０とによって構成される。操作部２２０ではこの複写機の通常の操作及びファックス送受信部１３７を含むアプリケーションの操作が、操作部２３０ではアプリケーション専用の操作がそれぞれ行なわれる。
【００６８】
ここで、この複写機に電源が投入されると、図４に示したＣＰＵ１３１が図８の液晶タッチパネル２３２に図９に示す画面を表示する。その後、使用者が通常のファクシミリ送信を行なう場合、その画面中の「ファックス」キーを押下することにより、ＣＰＵ１３１が液晶タッチパネル２３２の画面を例えば図１０に示す画面に切り替える。
【００６９】
次いで、使用者がそのテンキー（０〜９の数値キー）で相手先のファックス番号を指定して、図８のスタートキー２２１を押下することにより、ＣＰＵ１３１はファックス送受信部１３７にファクシミリ送信を行なわせる。このとき、ファクシミリ送信すべき画像情報が形成された原稿の送信読取条件を指定できるが、これは図１０の「送信条件」キーを押下することにより、ＣＰＵ１３１が液晶タッチパネル２３２の画面を図１の画面に切り替えるため、使用者はその画面上で送信読取条件の指定を行なえる。
【００７０】
すなわち、図１に示す画面上で原稿サイズメニューの「自動」を指定すれば、ＣＰＵ１３１はこの複写機に備えられているセンサの情報に基づいて原稿サイズを自動的に判断することができ、使用者は操作の手間が省ける。しかし、不定形なサイズの原稿の画像情報を送信しようとした場合には前述したような不具合が生じるので、その場合は原稿サイズメニューの「手動」を指定することにより、使用者が任意のサイズを指定できる。その場合のＣＰＵ１３１の処理について以下に述べる。
【００７１】
液晶タッチパネル２３２には図１に示したようにファクシミリ送信すべき画像情報が形成された原稿の主走査方向（ヨコ），副走査方向（タテ）のそれぞれのアイテムのキーが表示されており、その各キーにはそれぞれ最初は１００ｍｍが表示されている。そこで、使用者がその各キーを押すごとに、ＣＰＵ１３１がその表示する長さを５０ｍｍづつ増加させ、４５０ｍｍになったところで１００ｍｍに戻す。
【００７２】
このように、この実施例によれば、液晶タッチパネル２３２に表示される図１の画面上のキー操作によってファクシミリ送信すべき画像情報が形成された原稿の主走査方向と副走査方向のそれぞれの長さを任意の原稿サイズとして入力できるので、コストアップをせずに、ファクシミリ送信すべき画像情報が形成された原稿のサイズが不定形であってもその原稿サイズに適した画像情報の送信ができる。したがって、画像の欠落がなくなると共に無駄な余白が少なくなる。なお、この原稿サイズは原稿のページ間で変更可能である。
【００７３】
なお、図１の画面上のキー操作によって入力された原稿サイズは登録することもできる。あるいは、ファクシミリ送信前に予め別の手段によってその原稿サイズと同様な原稿サイズを登録しておくこともできる。この場合の登録は、例えば液晶タッチパネル２３２上に図示しない原稿サイズ登録用画面を表示させ、その画面上のキー操作によって行なうことができる。
【００７４】
そして、実際にファクシミリ送信を行なう際に、液晶タッチパネル２３２の画面上で登録されている複数の原稿サイズのいずれかを選択する。例えば、液晶タッチパネル２３２に図１１に示す画面を表示させ、登録されている２種類の原稿サイズのいずれかを「登録Ａ」キー又は「登録Ｂ」キーの押下によって選択するようにする。それによって、ファクシミリ送信を行なう度に上述のような原稿サイズの入力作業を行なわずに済む。
【００７５】
また、例えば図１２に示すように登録されている原稿サイズに対応する登録キーの他に定形サイズ指定キーも表示させるようにすれば、ファクシミリ送信すべき画像情報が形成された原稿のサイズが定形サイズの場合に、そのサイズを定形サイズ指定キーの押下により指定することができるので、このような場合は上述のような入力作業を省くことができる。また、ファクシミリ送信すべき画像情報が形成された原稿として定形サイズと不定型サイズとが混在した複数の原稿がセットされている場合には、登録キーと定形サイズ指定キーを両方使用することにより、その各原稿の画像情報をまとめてファクシミリ送信することもできる。
【００７６】
さらに、図１，図１１，図１２に示した画面にはファクシミリ送信すべき画像情報が形成された原稿のサイズを自動的に検知するための「自動」キーも表示されており、そのキーによる検知結果と上述したように「手動」において入力あるいは選択される原稿サイズのいずれを有効にするかを使用者が目的等に応じて自由に切り替えられるようにしている。すなわち、「自動」から途中で「手動」に切り替えたり、「手動」から途中で「自動」に切り替えたりできるので、使い勝手がより向上する。
【００７７】
【発明の効果】
以上説明してきたように、この発明の画像形成装置によれば、原稿サイズ入力手段によってファクシミリ送信すべき画像情報が形成された原稿の主走査方向と副走査方向のそれぞれの長さを任意の原稿サイズとして入力できるので、コストアップをせずに、ファクシミリ送信すべき画像情報が形成された原稿のサイズが不定形であってもその原稿サイズに最適な画像情報の送信を行なえ、画像が欠落したり無駄な余白ができることがなくなる。
【００７８】
また、原稿サイズ入力手段によって入力される原稿サイズを登録しておき、その登録された原稿サイズを原稿サイズ選択手段によって選択するようにすれば、ファクシミリ送信を行なう毎に原稿サイズ入力手段による入力作業を行なわずに済む。
なお、ファクシミリ送信すべき画像情報が形成された原稿のサイズが定形サイズの場合に、そのサイズを定形サイズ指定手段によって指定するようにすれば、原稿サイズ入力手段による入力作業を省略することができる。
【００７９】
さらに、ファクシミリ送信すべき画像情報が形成された原稿のサイズを自動的に検知する原稿サイズ自動検知手段を設け、その検知結果と原稿サイズ選択手段によって手動で選択される原稿サイズのいずれを有効にするかを使用者が目的等に応じて自由に切り替えられるようにすれば、使い勝手がより向上する。
【図面の簡単な説明】
【図１】図８に示す液晶タッチパネル２３２に表示される送信条件キー押下時の画面を示す説明図である。
【図２】この発明の実施例であるデジタル複写機の内部構成を示す図である。
【図３】図２の光書込部の構成例を示す平面図である。
【図４】図２のデジタル複写機全体の制御部の一部を示すブロック構成図である。
【図５】同じくその残りの部分を示すブロック構成図である。
【図６】図４のスキャナ部の制御回路の構成例を示すブロック図である。
【図７】同じくファックス送受信部の構成例を示すブロック図である。
【図８】図４の操作部ユニット１３６の構成例を示すレイアウト図である。
【図９】図８に示す液晶タッチパネル２３２に表示される電源投入時の初期画面を示す説明図である。
【図１０】同じくファクスキー押下時の画面を示す説明図である。
【図１１】同じく送信条件キー押下時の他の画面を示す説明図である。
【図１２】同じく送信条件キー押下時のさらに他の画面を示す説明図である。
【図１３】複写機のコンタクトガラスとその下方に配置される原稿サイズセンサを示す図である。
【図１４】そのコンタクトガラスに不定形サイズの原稿をセットした場合の原稿サイズセンサによる検知結果に関する説明図である。
【図１５】その検知結果に基づいてファクシミリ送信を行なった場合の受信装置側での印刷例を示す図である。
【符号の説明】
Ａ  複写基本体                    Ｂ  自動原稿給送装置
Ｃ  ソータ                        Ｄ  両面用反転ユニット
１５  スキャナ部                  １６  光書込部
１３０，１３１，２０１  ＣＰＵ    １３６  操作部ユニット
１３７  ファックス送受信部        １３８  インタフェースユニット
１４０  エディタ                  ２０１  ＣＰＵ
２０２  ＲＯＭ                    ２０３  ＲＡＭ
２０４  デュアルポートＲＡＭ      ２０５  データ圧縮再生回路
２０６  変倍回路                  ２０７  モデム
２０８  網制御回路                ２０９  スピーカ
２１０  音声回路                  ２１１  ＲＯＭ
２１２  ＲＡＭ                    ２１３  ＳＡＦメモリ
２２０，２３０  操作部            ２２１  スタートキー
２２２，２３１  ハードキー群      ２３２  液晶タッチパネル
【図１】
0003548587.tif 000002
【図１１】
0003548587.tif 000003
【図２】
0003548587.tif 000004
【図３】
0003548587.tif 000005
【図４】
0003548587.tif 000006
【図５】
0003548587.tif 000007
【図６】
0003548587.tif 000008
【図７】
0003548587.tif 000009
【図８】
0003548587.tif 000010
【図９】
0003548587.tif 000011
【図１０】
0003548587.tif 000012
【図１２】
0003548587.tif 000013
【図１３】
0003548587.tif 000014
【図１４】
0003548587.tif 000015
【図１５】
0003548587.tif 000016